(57)【要約】【課題】乳幼児等の顔を撮影する際に、瞳内にハート形や星形の図柄を自動的に写し込ませるようにすること。【解決手段】瞳内写し込み情報表示部１１をビデオカメラ１等に取り付けて、白色ＬＥＤ１２等によって構成される発光表示面１１ａにハート形Ｈや星形Ｓその他の図柄Ｐを発光表示することにより、乳幼児等の顔Ｆを撮影する際に、瞳Ｅ内にハート形や星形Ｓ等の図柄Ｐを自動的に写し込ませて、愛らしい写真を撮影することができるようにした撮像装置。【選択図】図１
2007108281.tif 000002
【特許請求の範囲】
【請求項１】
被写体となる人間や動物の顔の瞳内に図柄等の写し込み情報を写し込むための瞳内写し込み情報表示部を備えた
ことを特徴とする撮像装置。
【請求項２】
前記瞳内写し込み情報表示部が発光手段によって構成されている
ことを特徴とする請求項１に記載の撮像装置。
【請求項３】
前記発光手段がフラッシュを兼用する
ことを特徴とする請求項２に記載の撮像装置。
【請求項４】
前記瞳内写し込み情報表示部が撮像レンズの光軸に対して近い位置に配置されている
ことを特徴とする撮像装置。
【請求項５】
前記瞳内写し込み情報表示部は、撮像レンズのシャッター開放までの秒読みのための数字を兼用して表示することを特徴とする請求項２に記載の撮像装置。
【請求項６】
前記瞳内写し込み情報表示部が脱着式に構成されている
ことを特徴とする請求項１に記載の撮像装置。
【請求項７】
前記瞳内写し込み情報表示部がアクセサリーシューによって機械的及び電気的に脱着可能に構成されている
ことを特徴とする請求項６に記載の撮像装置。
【発明の詳細な説明】
【技術分野】
【０００１】
本発明は、被写体となる人間や動物の顔の瞳内にハート形や星形その他の図柄等の写し込み情報を写し込ませた映像や写真を撮影することができる撮像装置に関するものである。
【０００２】
従来から、ビデオカメラ（カムコーダ）やデジタルカメラ等の撮像装置において、被写体となる人間、特に乳幼児（赤ちゃん）等の被撮影者の顔の視線が撮像レンズから逸れることがないように、各種動物等の図柄等をモニターに表示させたり、音声ガイドや発光手段によって被撮影者の顔の視線をカメラ側へ引き付けるようにして撮影することが可能なアテキャッチ手段を備えた撮像装置が公開されている。（例えば、特許文献１、２）
【０００３】
また、従来から、同撮像装置において、撮影時に、被撮影者の顔の瞳を明るく照明したり、被撮影者の顔の瞳位置等を検出することができるアイキャッチボードを備えた撮像装置が公開されている。（例えば、特許文献３、４、５）
【特許文献１】特開平１１−４６３１６号公報
【特許文献２】特開２００３−７８７９２号公報
【特許文献３】特開２００４−２１９８０８号公報
【特許文献４】特開２００２−０００５６７号公報
【特許文献５】特開平７−２４９１９７号公報
【発明の開示】
【発明が解決しようとする課題】
【０００４】
解決しようとする問題点は、従来の撮像装置では、例えば乳幼児（赤ちゃん）や動物（愛犬、愛猫等）等の顔を撮影する際に、瞳内にハート形や星形その他の図柄等を写し込むことができない点である。
【課題を解決するための手段】
【０００５】
本発明の撮像装置は、被写体となる人間や動物の顔の瞳内に図柄等の写し込み情報を写し込むための瞳内写し込み情報表示部を備えたことを最も主要な特徴とする。
【発明の効果】
【０００６】
本発明の撮像装置は、被写体となる人間や動物、例えば子供（乳幼児等）や愛犬、愛猫等の顔を撮影する際に、瞳内にハート形や星形その他の図柄等を自動的に写し込むことができる。
【実施例１】
【０００７】
始めに、図１〜図４によって、本発明の撮像装置をビデオカメラ（カムコーダ）１に適用した実施例１について説明する。
図１〜３に示すように、このビデオカメラ１は、カメラ本体２の前面の上端に撮像レンズが水平状に設けられていて、そのカメラ本体２の一方の側面には液晶パネル４を有するモニター部５が設けられている。このモニター部５はカメラ本体２に対してヒンジ機構６によって直交する２方向へ開閉自在に構成されている。また、カメラ本体２の背面の上端にはビューファインダー７が設けられている。
【０００８】
そして、このビデオカメラ１には、被写体となる人間（例えば乳幼児等）ＯＢや動物（愛犬や愛猫等）の顔Ｆの瞳Ｅ内に、例えばハート形Ｈや星形Ｓその他の各種の図柄Ｐを写し込むための瞳内写し込み情報ＰＩを表示する瞳内写し込み情報表示部１１が付設されている。
この瞳内写し込み情報表示部１１の前面が、そのハート形Ｈや星形Ｓその他の各種の図柄Ｐを選択的に発光表示することができる発光表示面１１ａに構成されている。
そして、この発光表示面１１ａの発光表示手段としては、例えば小径で多数の白色ＬＥＤ（白色発光ダイオード）１２等の発光素子が使用されていて、この多数の白色ＬＥＤ（白色発光ダイオード）１２等はマトリックス状で、小間隔に配置されている。
【０００９】
一方、カメラ本体２の上部であって、撮像レンズ３の光軸ＲＡの真上相当位置にはアクセサリーシュー１３が付設されている。そこで、瞳内写し込み情報表示部１１をその下端の中央位置に設けられたスタンド１１ｂによって機械的及び電気的に脱着可能に取り付けられて、ロックナット１１ｃで締結する。すると、瞳内写し込み情報表示部１１の発光表示部１１ａが撮像レンズ３の光軸ＲＡの近傍位置に配置されて、撮像レンズ３と同じ向きに装着されることになる。
なお、この瞳内写し込み情報表示部１１には、予め記憶されている多数の図柄Ｐの中から例えばハート形Ｈや星形Ｓ等を順次選択して発光させるための表示選択スイッチ１４が付設されている。
【００１０】
ここで、図４の回路ブロック図によってこのビデオカメラ１の制御回路について説明する。
撮像レンズ３によって撮影される画像信号はアンプ２１及び画像信号処理部２２を通して記録再生部２３へ入力される。記録再生部２３は操作部（撮影のための各種の操作ボタン類）２４によって制御される制御部２５からの制御信号によって制御され、撮影に当ってモニター駆動部２６を介してモニター部２７にモニター画像ＭＩを表示する。そして、撮影された画像及び音声は磁気テープ、磁気ディスク、光ディスク、光磁気ディスク等の記録部及び／又はメモリカード２９によって記録されるように構成されている。
一方、撮影に当っては、記録再生部２３がアクセサリーシュー１３を介して瞳内写し込み情報表示部１１の多数の白色ＬＥＤ１２を発光制御する。
この際、瞳内写し込み情報表示部１１に設けられている表示選択スイッチ１４によって瞳内写し込み情報ＰＩ中の図柄Ｐをハート形Ｈや星形Ｓその他の図柄Ｐを選択することにより、発光表示面１１ａに、図３の（Ａ）に示すハート形Ｈや図３の（Ｂ）に示す星形Ｓその他の選択された図柄Ｐを発光表示するように、多数の白色ＬＥＤ１２が発光制御されて、その選択された図柄Ｐが発光表示面１１ａに発光表示されることになる。
【００１１】
そこで、図１〜図３に示すように、例えば、乳幼児（赤ちゃん）や動物（愛犬、愛猫等）をビデオ撮影する際に、瞳内写し込み情報表示部１１の発光表示面１１ａに図３の（Ａ）に示すハート形Ｈや図３の（Ｂ）に示す星形Ｓその他の図柄Ｐを多数の白色ＬＥＤ１２によって選択的に発光表示させた状態で、撮像レンズ３を乳幼児や動物の顔Ｆの瞳Ｅに向ければ、その瞳Ｅ内にハート形Ｈや星形Ｓその他の図柄Ｐが反射して映る。
その状態で、ビデオカメラ１の操作部２４の録画ボタン（シャッター）を押せば、顔Ｆの瞳Ｅ内にハート形や星形Ｓその他の図柄Ｐが鮮明に写し込まれた愛らしい映像や写真を簡単に撮影することができる。
【実施例２】
【００１２】
次に、図５によって、本発明の撮像装置としてのビデオカメラ１の実施例２について説明する。
この場合は、前述した実施例１における乳幼児や動物の顔Ｆの撮影時に、瞳内写し込み情報表示部１１の発光表示面１１ａに、撮像レンズ３のシャッター開放までの秒読みのための数字Ｃである、例えば、「３」、「２」、「１」を多数の白色ＬＥＤ１２によって順次発光表示した後に、ハート形Ｈや星形Ｓその他の図柄Ｐを発光表示し、その瞬間にシャッター開放、即ち、撮影が実行されるようになされたものである。
【００１３】
この実施例２によれば、順次発光表示される「３」「２」「１」の数字Ｃによって被撮影者に、撮影の瞬間までの注意を換起させることができるので、撮影の瞬間に乳幼児等の顔が動いてしまうように失敗を極力防止することができる利点が得られる。
【００１４】
なお、特に、この実施例２においては、「３」「２」「１」の数字Ｃを順次発光表示させた後に、実施例１で説明したビデオカメラ１の発光表示面１１ａにおける多数の全部の白色ＬＥＤ１２を同時に発光させて、フラッシュとして使用することも可能である。
【実施例３】
【００１５】
次に、図６によって、本発明の撮像装置をデジタルカメラ３１に適用した実施例３について説明する。
この場合は、実施例１で説明した瞳内写し込み情報表示部１１をデジタルカメラ３１のカメラ本体３２の前面３２ａにおける撮像レンズ３３の光軸ＲＡの近傍位置にビルトインさせ、表示選択スイッチ１４によってハート形Ｈや星形Ｓその他の図柄Ｐを選択的に発光表示させることができるようにしたものである。
【００１６】
従って、この実施例３においても、シャッターボタン３４を押して、乳幼児や動物の顔Ｆを撮影する時に、前述した実施例１と同様に、瞳内写し込み情報表示部１１によって発光表示されるハート形Ｈや星形Ｓその他の図柄Ｐを瞳Ｅ内に鮮明に写し込んだ愛らしい写真を簡単に撮影することができる。
【００１７】
なお、このデジタルカメラ３１においても、例えば、シャッターボタン３を押した時に、実施例２で説明した撮像レンズ３のシャッター開放までの秒読みのための数字Ｃである、例えば、「３」、「２」、「１」を多数の白色ＬＥＤ１２によって順次発光表示した後に、ハート形Ｈや星形Ｓその他の図柄Ｐを発光表示させた後に、ハート形Ｈや星形Ｓその他の図柄Ｐを発光表示させるようにすることができる。
【実施例４】
【００１８】
次に、図７及び図８によって、本発明の撮像装置としてのビデオカメラ１やデジタルカメラ３１の実施例４について説明する。
この場合、図７のビデオカメラ１においては、モニター部５の液晶パネル４とは反対側の面５ａを瞳内写し込み情報表示部１１に構成する。この際、その発光表示面１１ａに発光手段である多数の白色ＬＥＤ１２を付設する。他方、ハート形Ｈや星形Ｓその他の図柄Ｐが予め切り抜き加工されている図柄カード４１をモニター部５に瞳内写し込み情報表示部１１設けられているカード差し込み係止部４２内に矢印ａ方向から抜き指し自在に差し込んで発光表示面１１ａの前面に交換（差し換え）可能に装着する。
そして、全白色ＬＥＤ１２を同時に発光させた時に、図柄カード４１に切り抜かれているハート形Ｈや星形Ｓその他の図柄Ｐが発光表示されるようになされたものである。
【００１９】
また、図８のデジタルカメラ３１においては、図６で示した実施例２と同様に、瞳内写し込み情報表示部１１をカメラ本体３２の前面３２ａにおける撮像レンズ３３の光軸ＲＡの近傍位置にビルトインする。そして、ハート形Ｈや星形Ｓその他の図柄Ｐが予め切り抜き加工されている図柄カード４１をその瞳内写し込み情報表示部１１の外周に形成されたカード差し込み係止部４２に矢印ａ方向から抜き指し自在に差し込んで発光表示面１１ａの前面に交換（差し換え）可能に装着する。
そして、全白色ＬＥＤ１２を同時に発光させた時に、図柄カード４１に切り抜かれているハート形Ｈや星形Ｓその他の図柄Ｐが発光表示されるようになされたものである。
【００２０】
この実施例４によれば、図柄カード４１の差し換えによって希望する図柄Ｐを発光表示させることができ、白色ＬＥＤ１２の点灯領域の制御によって図柄Ｐを選択する方式に比べて低コストとなる。また、ユーザーが希望する図柄Ｐを図柄カード４１に切り抜き加工することにより、さまざまな図柄Ｐを点灯表示させることが可能となる特徴がある。
【産業上の利用可能性】
【００２１】
以上、本発明の実施例に付き述べたが、本発明は上記した実施の形態に限定されることなく、その他各種の変更が可能である。
例えば、発光手段としては白色ＬＥＤ以外の各種の発光素子を使用することができる。
また、例えば、ビデオカメラ１のモニター部５に表示したハート型Ｈや星形Ｓその他の図柄Ｐを被写体側へ向けて撮影することにより、そのモニター部５に表示された図柄Ｐを被写体の顔Ｆの瞳Ｅ内に写し込ませるようにすれば、簡易的に実施することができる。
【図面の簡単な説明】
【００２２】
【図１】本発明の撮像装置の実施例１のデジタルカメラを説明する図面であって、人間の顔の瞳内にハート形等の図柄を写し込ませる様子を示した図面である。
【図２】同上のデジタルカメラの実施例１のデジタルカメラ全体の斜視図である。
【図３】同上のデジタルカメラの実施例１における瞳内写し込み情報表示部を説明する図面である。
【図４】同上のビデオカメラの実施例１における制御回路を説明するブロック図である。
【図５】本発明の撮像装置の実施例２における瞳内写し込み情報表示部を説明する図面である。
【図６】本発明の撮像装置の実施例３におけるデジタルカメラを説明する斜視図である。
【図７】本発明の撮像装置の実施例４におけるビデオカメラを説明する斜視図である。
【図８】本発明の撮像装置の実施例４におけるデジタルカメラを説明する斜視図である。
【符号の説明】
【００２３】
１  ビデオカメラ、２  カメラ本体、３  撮像レンズ、４  液晶パネル、５  モニター部、１１  瞳内写し込み表示部、１１ａ  発光表示面、１１ｂ  スタンド、１１ｃ  ロックナット、１２  白色ＬＥＤ、１３  アクセサリーシュー、１４  表示選択スイッチ、３１  デジタルカメラ、３２  カメラ本体、３２ａ  カメラ本体の正面、３３  撮像レンズ、３４  シャッター、４１  図柄カード、４２  カード差し込み係止部。
【図１】
2007108281.tif 000003
【図２】
2007108281.tif 000004
【図３】
2007108281.tif 000005
【図４】
2007108281.tif 000006
【図５】
2007108281.tif 000007
【図６】
2007108281.tif 000008
【図７】
2007108281.tif 000009
【図８】
2007108281.tif 000010